(57)【要約】【課題】  ＡＣ−ＤＣアダプタを使うにもかかわらず構成が簡単で接続作業が容易にできる電力線通信を実現する。【解決手段】  本発明の電力線通信装置は、ノートパソコン１１とＡＣ−ＤＣアダプタ１３とをＤＣ電源ケーブル１２でつなぎ、ＡＣ−ＤＣアダプタ１３にＡＣ電源ケーブル１４をつないでＡＣコンセントにつなぐことで、ノートパソコン１１の電源をとっている。また、ＡＣコンセントからＡＣ電源ケーブル１４を介して交流にて送られてきた通信信号をＡＣ−ＤＣアダプタ１３で受け取り、直流に載せ換えて、ＤＣ電源ケーブル１２を使ってノートパソコン１１へ送るようになっている。また、逆に、ノートパソコン１１からＤＣ電源ケーブル１２を介して直流にて送られてきた通信信号をＡＣ−ＤＣアダプタ１３で受け取り、交流に載せ換えて、ＡＣ電源ケーブル１４を使ってＡＣコンセントへ送るようになっている。【選択図】  図１
2006100939.tif 000002
【特許請求の範囲】
【請求項１】
電力線を介する通信である電力線通信を行う電力線通信用装置と、交流を直流に変換することで上記電力線通信用装置に直流電源を供給する交流直流変換装置とを有する電力線通信装置において、
上記交流直流変換装置が、
電力線と交流直流変換装置との間の交流と、交流直流変換装置と電力線通信用装置との間の直流との間で、通信信号を受け渡しする重畳回路を備え、
上記電力線通信用装置が、
上記交流直流変換装置から直流電源を供給される経路上にて、上記交流直流変換装置との間で通信信号の送信または受信を行うモデム回路を備えていることを特徴とする電力線通信装置。
【請求項２】
電力線を介する通信である電力線通信を行うための電力線通信用装置に、交流を直流に変換することで直流電源を供給する交流直流変換装置において、
電力線と交流直流変換装置との間の交流と、交流直流変換装置と電力線通信用装置との間の直流との間で、通信信号を受け渡しする重畳回路を備えたことを特徴とする交流直流変換装置。
【請求項３】
上記重畳回路においては、電力線の入力から直流電源の出力に向かって、ハイパスフィルタ、信号結合トランス、コンデンサがこの順に接続されていることを特徴とする請求項２に記載の交流直流変換装置。
【請求項４】
上記重畳回路においては、電力線の入力から直流電源の出力に向かって、ハイパスフィルタ、および、センタータップ付きの信号結合トランスがこの順に接続されていることを特徴とする請求項２に記載の交流直流変換装置。
【請求項５】
電力線を介する通信である電力線通信を行うものであって、交流を直流に変換する交流直流変換装置にて直流電源の供給を受ける電力線通信用装置において、
上記交流直流変換装置から直流電源を供給される経路上にて、上記交流直流変換装置との間で通信信号の送信または受信を行うモデム回路を備えたことを特徴とする電力線通信用装置。
【請求項６】
ノート型パーソナルコンピュータであることを特徴とする請求項５に記載の電力線通信用装置。
【発明の詳細な説明】
【技術分野】
【０００１】
本発明は、電力線を介して通信信号の通信を行うための電力線通信用装置、交流直流変換装置、電力線通信装置に関するものである。
【背景技術】
【０００２】
交流電源である電力線を介して通信信号の通信を行う電力線通信としては、特許文献１のようなものが知られている。これは、パーソナルコンピュータ（以下パソコン）のＲＳ−２３２Ｃ等のインターフェース部が電力線通信モデムの通信信号用接続部に接続されるとともに、パソコンからのＡＣコンセントの差し込みは、電力線通信モデムのＡＣコンセント受け口に接続される構成である。
【０００３】
一方、ノート型パソコン（以下ノートパソコン）においては、図６に示すように、ノートパソコン１１１とＡＣ−ＤＣアダプタ１１３とをＤＣ電源ケーブル（直流電力線）１１２でつなぎ、ＡＣ−ＤＣアダプタ１１３にＡＣ電源ケーブル１１４をつないでＡＣコンセントにつなぐことで、ノートパソコン１１１の電源をとる一方、ノートパソコン１１１のインターフェース部と電力線通信モデム１１６とをケーブル１１５でつなぎ、電力線通信モデム１１６にＡＣ電源ケーブル１１７をつないてＡＣコンセントにつなぐことで、電力線通信の通信信号を送受信するようになっている。すなわち、電力線通信モデム１１６をＡＣコンセントとノートパソコン１１１との間に別途用意し、ノートパソコン１１１本体とは、ＵＳＢ（Universal Serial Bus）などのインターフェースで接続する。
【０００４】
特許文献２は、ＤＣ電源ケーブルに、例えば音声、音楽、通信信号、映像信号等を伝送させる構成である。
【特許文献１】特開平７−２６４１０７号公報（公開日平成７年１０月１３日）
【特許文献２】特開平７−２７３６９５号公報（公開日平成７年１０月２０日）
【発明の開示】
【発明が解決しようとする課題】
【０００５】
上述した通り、ノートパソコンのように、ＡＣ−ＤＣアダプタを使う電力線通信装置では、２系統のＡＣ電源ケーブルを用意せねばならず、構成が複雑で接続作業も繁雑である。すなわち、ＡＣコンセントに接続するだけで通信ができる電力線通信の利点を発揮できない。
【０００６】
本発明は、上記の問題点に鑑みてなされたものであり、その目的は、ＡＣ−ＤＣアダプタ等のような交流直流変換装置を使うにもかかわらず構成が簡単で接続作業が容易な電力線通信用装置、交流直流変換装置、電力線通信装置を実現することにある。
【課題を解決するための手段】
【０００７】
上記の課題を解決するため、本発明に係る電力線通信装置は、電力線を介する通信である電力線通信を行う電力線通信用装置と、交流を直流に変換することで上記電力線通信用装置に直流電源を供給する交流直流変換装置とを有する電力線通信装置において、上記交流直流変換装置が、電力線と交流直流変換装置との間の交流と、交流直流変換装置と電力線通信用装置との間の直流との間で、通信信号を受け渡しする重畳回路を備え、上記電力線通信用装置が、上記交流直流変換装置から直流電源を供給される経路上にて、上記交流直流変換装置との間で通信信号の送信または受信を行うモデム回路を備えていることを特徴としている。
【０００８】
上記の構成により、一つの交流直流変換装置で、電力線と交流直流変換装置との間の交流と、交流直流変換装置と電力線通信用装置との間の直流との間で、通信信号を受け渡しすることができる。そして、電力線通信用装置では、交流直流変換装置から供給される直流電源を取り出すとともに、交流直流変換装置との間で通信信号の送信や受信を行うことができる。したがって、電力線通信用装置、交流直流変換装置、ＡＣコンセントを順につなぐ系統さえあればよく、ＡＣコンセントから電源をとる系統と、ＡＣコンセントとの間で通信信号のやりとりを行う系統との、２系統のＡＣ電源ケーブルを用意する必要がない。それゆえ、交流直流変換装置を使うにもかかわらず構成が簡単で接続作業が容易にできる電力線通信を実現することができるという効果を奏する。
【０００９】
また、本発明に係る交流直流変換装置は、電力線を介する通信である電力線通信を行うための電力線通信用装置に、交流を直流に変換することで直流電源を供給する交流直流変換装置において、電力線と交流直流変換装置との間の交流と、交流直流変換装置と電力線通信用装置との間の直流との間で、通信信号を受け渡しする重畳回路を備えたことを特徴としている。
【００１０】
上記の構成により、一つの交流直流変換装置で、電力線と交流直流変換装置との間の交流と、交流直流変換装置と電力線通信用装置との間の直流との間で、通信信号を受け渡しすることができる。すなわち、交流直流変換装置の重畳の切り替えを行うことで、電力線と電力線通信用装置との間で通信信号をやりとりすることができる。したがって、電力線通信用装置、交流直流変換装置、ＡＣコンセントを順につなぐ系統さえあればよく、ＡＣコンセントから電源をとる系統と、ＡＣコンセントとの間で通信信号のやりとりを行う系統との、２系統のＡＣ電源ケーブルを用意する必要がない。それゆえ、交流直流変換装置を使うにもかかわらず構成が簡単で接続作業が容易にできる電力線通信を実現することができるという効果を奏する。
【００１１】
また、本発明に係る交流直流変換装置は、上記の構成に加えて、上記重畳回路においては、電力線の入力から直流電源の出力に向かって、ハイパスフィルタ、信号結合トランス、コンデンサがこの順に接続されていることを特徴としている。
【００１２】
上記の構成により、電力線の入力から直流電源の出力に向かって、ハイパスフィルタ、信号結合トランス、コンデンサがこの順に接続されている。この素子列は、上記通信信号をＡＣ電源線から取り出してＤＣ電源線に重畳しなおす経路として機能する。したがって、上記の構成による効果に加えて、より簡単な構成で上記交流直流変換装置を実現することができるという効果を奏する。
【００１３】
また、本発明に係る交流直流変換装置は、上記の構成に加えて、上記重畳回路においては、電力線の入力から直流電源の出力に向かって、ハイパスフィルタ、および、センタータップ付きの信号結合トランスがこの順に接続されていることを特徴としている。
【００１４】
上記の構成により、ハイパスフィルタ、および、センタータップ付きの信号結合トランスがこの順に接続されているこの素子列は、上記通信信号をＡＣ電源線から取り出してＤＣ電源線に重畳しなおす経路として機能する。したがって、上記の構成による効果に加えて、より簡単な構成で上記交流直流変換装置を実現することができるという効果を奏する。
【００１５】
また、本発明に係る電力線通信用装置は、電力線を介する通信である電力線通信を行うものであって、交流を直流に変換する交流直流変換装置にて直流電源の供給を受ける電力線通信用装置において、上記交流直流変換装置から直流電源を供給される経路上にて、上記交流直流変換装置との間で通信信号の送信または受信を行うモデム回路を備えたことを特徴としている。
【００１６】
上記の構成により、電力線通信用装置において、交流直流変換装置から供給される直流電源を取り出すとともに、交流直流変換装置から直流電源を供給される経路上にて、交流直流変換装置との間で通信信号の送信や受信を行うことができる。したがって、電力線通信用装置、交流直流変換装置、ＡＣコンセントを順につなぐ系統さえあればよく、ＡＣコンセントから電源をとる系統と、ＡＣコンセントとの間で通信信号のやりとりを行う系統との、２系統のＡＣ電源ケーブルを用意する必要がない。それゆえ、交流直流変換装置を使うにもかかわらず構成が簡単で接続作業が容易にできる電力線通信を実現することができるという効果を奏する。
【００１７】
また、本発明に係る電力線通信用装置は、上記の構成に加えて、ノート型パーソナルコンピュータであることを特徴としている。
【００１８】
上記の構成により、 上記電力線通信用装置はノート型パーソナルコンピュータ（ノートパソコン）である。したがって、上記の構成による効果に加えて、電力線通信機能付きのノートパソコンにて、簡単に電力線通信を行うことができるという効果を奏する。
【発明の効果】
【００１９】
以上のように、本発明に係る電力線通信装置は、上記交流直流変換装置が、電力線と交流直流変換装置との間の交流と、交流直流変換装置と電力線通信用装置との間の直流との間で、通信信号を受け渡しする重畳回路を備え、上記電力線通信用装置が、上記交流直流変換装置から直流電源を供給される経路上にて、上記交流直流変換装置との間で通信信号の送信または受信を行うモデム回路を備えている構成である。
【００２０】
また、本発明に係る交流直流変換装置は、電力線と交流直流変換装置との間の交流と、交流直流変換装置と電力線通信用装置との間の直流との間で、通信信号を受け渡しする重畳回路を備えた構成である。
【００２１】
また、本発明に係る電力線通信用装置は、上記交流直流変換装置から直流電源を供給される経路上にて、上記交流直流変換装置との間で通信信号の送信または受信を行うモデム回路を備えた構成である。
【００２２】
これにより、電力線通信用装置、交流直流変換装置、ＡＣコンセントを順につなぐ系統さえあればよく、ＡＣコンセントから電源をとる系統と、ＡＣコンセントとの間で通信信号のやりとりを行う系統との、２系統のＡＣ電源ケーブルを用意する必要がない。それゆえ、交流直流変換装置を使うにもかかわらず構成が簡単で接続作業が容易にできる電力線通信を実現することができるという効果を奏する。
【発明を実施するための最良の形態】
【００２３】
図１に示すように、ノートパソコン（電力線通信用装置）１１においては、ノートパソコン１１本体とＡＣ−ＤＣアダプタ（交流直流変換装置）１３とをＤＣ電源ケーブル（ＤＣ電源線）１２でつなぎ、ＡＣ−ＤＣアダプタ１３にＡＣ電源ケーブル１４をつないでＡＣコンセントにつなぐことで、ノートパソコン１１の電源をとっている。ノートパソコン１１、ＤＣ電源ケーブル１２、ＡＣ−ＤＣアダプタ１３、ＡＣ電源ケーブル１４にて電力線通信装置が構成されている。ＤＣ電源ケーブル１２はＤＣ電源線であり、ＡＣ電源ケーブル１４はＡＣ電源線である。なお、ＡＣは交流であり、ＤＣは直流である。
【００２４】
ＡＣ−ＤＣアダプタ１３には、ＡＣ電源の電力線（ＡＣ電源線）における交流に重畳されてＡＣコンセントからＡＣ電源ケーブル１４を介して交流にて送られてきた電力線通信信号を分離し、分離された通信信号をＤＣ電源のＤＣ電源ケーブル（ＤＣ電源線）における直流に重畳することで直流に載せ換えるとともに、ノートパソコン１１からＤＣ電源ケーブル１２を介して直流にて送られてきた電力線通信信号を受け取り、ＡＣ電源出力の交流に重畳し、ＡＣ電源ケーブル１４を使ってＡＣコンセントへ送る回路が実装されている。このようにして、電源供給ケーブルであるＡＣ電源ケーブル１４とＤＣ電源ケーブル１２とを介して、電源と電力線通信信号とを、ＡＣコンセントとノートパソコン１１との間で送受信するようになっている。
【００２５】
また、ノートパソコン１１には、ＡＣ−ＤＣアダプタ１３のＤＣ電源出力の直流に重畳された電力線通信信号を取り出して受信するとともに、電力線通信信号をＡＣ−ＤＣアダプタ１３のＤＣ電源出力の直流に重畳して送信する回路が実装されている。
【００２６】
操作者は、適宜ノートパソコン１１のキーボードやマウス等（図示せず）を操作することによって、ノートパソコン１１内部の後述のインターフェース部を介して、電力線から送られてきた通信信号をパソコンのディスプレイに表示させたり通信信号をＡＣコンセントへ送信したりすることができる。なお、この仕組みとしては公知の構成を適宜使用可能であり、ここでは説明を省略する。
【００２７】
具体的には、ＡＣ−ＤＣアダプタ１３、ノートパソコン１１はそれぞれ、例えば図２、図３に示すような構成を有している。
【００２８】
図２に示すように、ＡＣ−ＤＣアダプタ１３は、ＡＣコンセントに接続される端子Ｔａとノートパソコン１１に接続される端子Ｔｂを備えている。端子Ｔａは、ＡＣコンセントとの間でＡＣ電源と電力線通信信号とをやりとりするためのものである。端子Ｔｂは、ノートパソコン１１との間でＤＣ電源と電力線通信信号とをやりとりするためのものである。この端子Ｔａ・Ｔｂ間が２系統に分岐し、また合流するようになっている。２系統のうち、図中、上側に示すように、コンデンサＣ１、抵抗Ｒ１、トランスＴ１、コンデンサＣ２によって重畳回路が構成されており、これによって通信信号用交流経路が形成されている。一方、図中、下側に示すように、トランスＴ２および電源変換回路１５によって、電源系統である交流・直流電源用経路が形成されている。トランスＴ１は信号結合トランスであり、トランスＴ２はパワートランスである。
【００２９】
端子Ｔａから入力された交流は、上記交流・直流電源用経路において、トランスＴ２にて適宜増幅または減衰され、従来同様、電源変換回路１５を通って直流に変換され、ノートパソコンの電源として端子Ｔｂから出力される。電源変換回路１５としては公知の構成を適宜使用可能であり、ここでは説明を省略する。
【００３０】
また、上記と同一の端子Ｔａから入力された交流からは、上記通信信号用交流経路にて、コンデンサＣ１と抵抗Ｒ１とからなるハイパスフィルタによってある周波数以上の高周波が通信信号として取り出され、通常の電力分（交流）は除かれる。そして、トランスＴ１にて通信信号が適宜増幅される。そして、コンデンサＣ２（ハイパスフィルタ）で容量結合された部位にて、通信信号がＤＣ電源出力の直流に重畳される。この直流は、上述のように電源変換回路１５による変換処理によって生成したものである。なお、上記通信信号が交流・直流電源用経路に流れるのを防ぐため、コイルＬ１・Ｌ２（ローパスフィルタ）が、電源変換回路１５と端子Ｔｂとの間の各配線に接続されている。コイルＬ２の一端は接地されている。
【００３１】
このようにして、上記と同一の端子Ｔｂからは、通信信号を重畳した直流がノートパソコン１１へ出力されることになる。
【００３２】
送信の場合は、逆に、上記と同一の端子Ｔｂを介してノートパソコン１１から入力された、通信信号を重畳した直流からは、上記コンデンサＣ２で容量結合された部位にて、ある周波数以上の高周波が通信信号として取り出され、直流分は除かれる。そして、トランスＴ１、次いで、コンデンサＣ１と抵抗Ｒ１とからなるハイパスフィルタを経て、通信信号がＡＣ電源出力の交流に重畳される。このＡＣ電源出力の交流は、上述のように電源変換回路１５にてＤＣ電源出力の直流に変換される元になっているものである。
【００３３】
このようにして、上記と同一の端子Ｔａからは、通信信号を重畳した交流がＡＣコンセントへ出力されることになる。
【００３４】
このような構成とすることにより、重畳回路にて、受信時には、通信信号を重畳した交流から通信信号を取り出して直流に重畳でき、送信時には、通信信号を重畳した直流から通信信号を取り出して交流に重畳することができる。
【００３５】
また、図３に示すように、ノートパソコン１１は、ＡＣ−ＤＣアダプタ１３に接続される端子Ｔｃと、ノートパソコン内部の、一般的な通信信号処理用回路（図示せず）に接続される端子Ｔｄと、ＡＣ−ＤＣアダプタ１３から直流電源を受けるための端子Ｔｅとを備えている。端子Ｔｃは、ＡＣ−ＤＣアダプタ１３との間でＤＣ電源と電力線通信信号とをやりとりするためのものである。端子Ｔｄは、ノートパソコン１１の内部（ＣＰＵ（中央制御部）など）との間で電力線通信信号をやりとりするためのものである。端子Ｔｅは、ノートパソコン１１内の各回路との間でＤＣ電源をやりとりするためのものである。端子Ｔｃは２極であり、一方は、図２の端子Ｔｂを介してコンデンサＣ２と接続されるものであり、後述のコンデンサＣ１１やコイルＬ１１と接続されている。他方は、図２の端子Ｔｂを介してコイルＬ２と接続されるものであり、接地されている。
【００３６】
この端子Ｔｃから２系統に分岐し、端子Ｔｄ・Ｔｅに入るようになっている。２系統のうち、図中、上側に示すように、コンデンサＣ１１およびモデム回路１８によって通信信号用直流経路が形成されている。一方、図中、下側に示すように、コイルＬ１１および電源回路１９によって、電源系統である直流電源用経路が形成されている。これら２系統によって、ノートパソコン１１のインターフェース部が構成されている。インターフェース部は、ＡＣ−ＤＣアダプタ１３との間でＤＣ電源の受信およびそのＤＣ電源出力の直流に重畳させて通信信号の送受信を行うためのものである。
【００３７】
端子Ｔｃから入力された直流は、直流電源用経路にて、従来同様、電源回路１９を通って、ノートパソコンの電源として端子Ｔｅから出力される。
【００３８】
また、上記と同一の端子Ｔｃから入力された、通信信号を重畳した直流からは、通信信号用直流経路にて、コンデンサＣ１１からなるハイパスフィルタにて、ある周波数以上の高周波が通信信号として取り出され、通常の電力分（直流）は除かれる。そして、モデム回路（電力線通信モデム）１８にて復調され、端子Ｔｄから出力される。なお、上記通信信号が電源系統に流れるのを防ぐため、コイルＬ１１（ローパスフィルタ）が、端子Ｔｃと電源回路１９との間に接続されている。
【００３９】
このようにして、上記と同一の端子Ｔｅからは、通信信号を重畳した直流がノートパソコン１１の本体へ出力されることになる。
【００４０】
送信の場合は、逆に、ノートパソコン１１の本体から、上記と同一の端子Ｔｄを介してインターフェース部に入力された通信信号は、モデム回路１８にて変調され、端子Ｔｃ・Ｔｅ間の直流電源用経路を流れるＤＣ電源出力の直流に重畳される。
【００４１】
このようにして、上記と同一の端子Ｔｃからは、通信信号を重畳した直流がＡＣ−ＤＣアダプタ１３へ出力されることになる。
【００４２】
このような構成とすることにより、インターフェース部にて、受信時には、通信信号を重畳した直流から通信信号を取り出し、送信時には通信信号を直流に重畳することができる。
【００４３】
すなわち、一つのＡＣ−ＤＣアダプタ１３、一つのＡＣ電源ケーブル１４、一つのＤＣ電源ケーブル１２で、電力線とＡＣ−ＤＣアダプタ１３との間の交流と、ＡＣ−ＤＣアダプタ１３とノートパソコン１１との間の直流との間で、通信信号を受け渡しすることができる。そして、ノートパソコン１１では、ＡＣ−ＤＣアダプタ１３から供給されるＤＣ電源を取り出すとともに、ＡＣ−ＤＣアダプタ１３との間で通信信号の送信や受信を行うことができる。したがって、ノートパソコン１１、ＡＣ−ＤＣアダプタ１３、ＡＣコンセントを順につなぐ系統さえあればよく、ＡＣコンセントから電源をとる系統と、ＡＣコンセントとの間で通信信号のやりとりを行う系統との、２系統のＡＣ電源ケーブルを用意する必要がない。それゆえ、ＡＣ−ＤＣアダプタ１３を使うにもかかわらず、構成が簡単で接続作業が容易にできる電力線通信を実現することができる。
【００４４】
ＡＣ−ＤＣアダプタは、他にも、図４に示すＡＣ−ＤＣアダプタ２３のように構成することもできる。また、その場合のノートパソコンのインターフェース部は、図５に示すような構成とすることができる。
【００４５】
図４に示すように、ＡＣ−ＤＣアダプタ２３の通信信号用交流経路においては、トランスＴ１の代わりに、センタータップ付きのトランスＴ３を用いる。また、コンデンサＣ２は用いない。そして、トランスＴ３のセンタータップと電源変換回路１５とが、コイルＬ１を介して接続されている。また、端子Ｔｂの代わりに、３極の端子Ｔｆを用いる。この端子Ｔｆには、トランスＴ３のセンタータップ以外の両端の端子が接続されるとともに、電源変換回路１５の出力部がコイルＬ２を介して接続されている。コイルＬ２の一端は接地されている。トランスＴ３は信号結合トランスであり、トランスＴ２はパワートランスである。それ以外は図２の構成と同様である。このような構成とすることにより、トランスＴ３にて、受信時には通信信号をＡＣ電源から取り出してＤＣ電源出力の直流に重畳でき、送信時には通信信号をＤＣ電源から取り出してＡＣ電源出力の交流に重畳することができる。
【００４６】
図５に示すように、ノートパソコンのインターフェース部においては、センタータップ付きのトランスＴ４を用いる。また、コンデンサＣ１１は用いない。トランスＴ４のセンタータップと電源回路１９とが、コイルＬ２１を介して接続されている。また、端子Ｔｃの代わりに、３極の端子Ｔｇを用いる。この端子Ｔｇには、トランスＴ４のセンタータップ以外の両端の端子が接続されるとともに、電源回路１９の入力部がコイルＬ２２を介して接続されている。このコイルＬ２２は、端子Ｔｆ・Ｔｇを介して図４のコイルＬ２と接続される。コイルＬ２２の一端は接地されている。それ以外は図３の構成と同様である。このような構成とすることにより、インターフェース部にて、受信時には通信信号をＤＣ電源から取り出し、送信時には通信信号をＤＣ電源出力の直流に重畳することができる。
【００４７】
従来は、ノートパソコン１１で電力線通信を行う場合、ノートパソコン１１の外部に、通信方式に合わせた通信信号用接続部を持つ電力線通信モデムを用意する必要があった。その結果、接続が必要な機器と配線とが増える。また、簡単にＡＣコンセントに接続するだけで通信ができる電力線通信の利便性が発揮できない。これに対し、本実施形態では、以上のように、ノートパソコン１１の外部に必要であった電力線通信モデム回路をノートパソコン１１本体に内蔵している。そして、ノートパソコン１１本体でＤＣ電源出力の直流に通信信号を重畳し、さらに、ＡＣ−ＤＣアダプタ１３でＡＣ電源出力の交流に通信信号を重畳するようになっている。その結果、ノートパソコン１１用のＡＣ−ＤＣアダプタ１３経由で電力線通信を行うことができるようになり、外部の電力線通信モデムを使用する必要がなくなり、電力線通信モデムとノートパソコン１１とを接続する信号ケーブルが不要になっている。すなわち、電力線通信を行う場合の接続ケーブル数を削減できる。これにより、ノートパソコン１１を使用する場合に、通常の電源接続に使用するＡＣ−ＤＣアダプタだけで電力線通信を行うことができる。
【００４８】
なお、本発明は、ノートパソコンに限らず、電力線を介する通信信号通信である電力線通信を行うためのものであって、交流直流変換装置にて直流電源の供給を受ける種々の電力線通信用装置に適用が可能である。例えばＰＤＡ（Personal Digital Assistant）を室内等でＡＣコンセントにて使用する場合にも適用できる。
【００４９】
また、上記では、持ち運び可能なノートパソコンを例にして説明したが、据え置き型の装置であっても、直流電力の供給を必要とし、ＤＣ電源ケーブル、ＡＣ−ＤＣアダプタおよびＡＣ電源ケーブルを介してＡＣコンセントに接続可能な装置であれば、同様の効果が得られる。このような装置の例としては、例えば、パーソナルコンピュータや、制御システムのＨＭＩ（Human Machine Interface ）として使用される制御用表示装置（例えば、プログラマブル表示器）などが挙げられる。
【００５０】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【００５１】
ノートパソコンなどのような、ＡＣ−ＤＣアダプタを用いて電力線通信を行う装置のような用途にも適用できる。
【図面の簡単な説明】
【００５２】
【図１】本発明に係る電力線通信装置の一構成例を示す図である。
【図２】ＡＣ−ＤＣアダプタの内部の構成例を示す回路図である。
【図３】ノートパソコンのインターフェース部の内部の構成例を示す回路図である。
【図４】ＡＣ−ＤＣアダプタの内部の他の構成例を示す回路図である。
【図５】ノートパソコンのインターフェース部の内部の他の構成例を示す回路図である。
【図６】従来の電力線通信装置の構成例を示す図である。
【符号の説明】
【００５３】
１１    ノートパソコン（電力線通信用装置）
１２    ＤＣ電源ケーブル
１３    ＡＣ−ＤＣアダプタ（交流直流変換装置）
１４    ＡＣ電源ケーブル
１５    電源変換回路
１８    ＡＣコンセント
１９    電源回路
２３    ＡＣ−ＤＣアダプタ
Ｃ１、Ｃ２、Ｃ１１    コンデンサ
Ｌ１、Ｌ２、Ｌ１１、Ｌ２１、Ｌ２２    コイル
Ｒ１    抵抗
Ｔ１、Ｔ２、Ｔ３、Ｔ４    トランス
Ｔａ、Ｔｂ、Ｔｃ、Ｔｄ、Ｔｅ、Ｔｆ、Ｔｇ    端子
【図１】
2006100939.tif 000003
【図２】
2006100939.tif 000004
【図３】
2006100939.tif 000005
【図４】
2006100939.tif 000006
【図５】
2006100939.tif 000007
【図６】
2006100939.tif 000008